(57)【要約】  特定の実施形態において、眼用のインプラントを製造するシステムは、プリンタと、カメラと、コンピュータと、を有する。プリンタはターゲット上に材料を印刷し、且つ、プリンタヘッドと、プリンタコントローラと、を有する。プリンタヘッドは材料をターゲット上に堆積させ、且つ、プリンタコントローラは、材料をターゲットの特定の場所上に堆積させるようにプリンタヘッドを運動させる。カメラは、材料の印刷を監視するべく画像を生成している。コンピュータは、眼のための屈折治療を提供するように設計されたインプラント用のパターンを保存し、パターンに従って材料をターゲット上に印刷するべくプリンタヘッドを運動させるように、プリンタコントローラに命令を送信し、パターンに従ってカメラからの画像を評価し、且つ、画像に応答して命令を調節する。
2021518200.tif 000002
【特許請求の範囲】
【請求項１】
眼用のインプラントを製造するシステムであって、
材料をターゲット上に印刷するように構成されたプリンタであって、
前記材料を前記ターゲット上に堆積させるように構成されたプリンタヘッド、及び、
前記材料を前記ターゲットの特定の場所上に堆積させるべく、前記プリンタヘッドを運動させるように構成されたプリンタコントローラ、
を有するプリンタと、
前記材料の前記印刷を監視するべく、画像を生成するように構成されたカメラと、
前記インプラント用のパターンを保存し、前記インプラントは、前記眼のための屈折治療を提供するように設計されたコンピュータであって、
前記パターンに従って前記材料を前記ターゲット上に印刷するべく、前記プリンタヘッドを運動させるように、前記プリンタコントローラに命令を送信し、
前記パターンに従って前記カメラからの前記画像を評価し、且つ、
前記画像に応答して前記命令を調節する、
ように構成されたコンピュータと、
を有するシステム。
【請求項２】
前記印刷された材料を成形するように構成されたアブレーションレーザーを更に有し、且つ、
前記コンピュータは、前記パターンに従って前記印刷された材料を融除するべく、前記アブレーションレーザーに命令を送信するように構成されている、請求項１に記載のシステム。
【請求項３】
前記カメラは、光コヒーレンストモグラフィ（ＯＣＴ）システム、Ｓｃｈｅｉｍｐｆｌｕｇシステム、又は立体カメラシステムを有する、請求項１に記載のシステム。
【請求項４】
前記印刷された材料に向かって硬化光を導くように構成された硬化イルミネータを更に有し、且つ、
前記コンピュータは、前記パターンに従って前記硬化光を導くべく、前記硬化イルミネータに命令を送信するように構成されている、請求項１に記載のシステム。
【請求項５】
前記コンピュータは、前記画像を前記パターンと比較することにより、前記パターンに従って前記カメラからの前記画像を評価するように構成されている、請求項１に記載のシステム。
【請求項６】
前記コンピュータは、
前記画像内の前記印刷された材料の内部構造を識別し、且つ、
前記識別された内部構造を前記パターンによって定義された内部構造と比較することにより、
前記パターンに従って前記カメラからの前記画像を評価するように構成されている、請求項１に記載のシステム。
【請求項７】
前記コンピュータは、
前記画像内の前記印刷された材料の外部形状を識別し、且つ、
前記識別された外部形状を前記パターンによって定義された外部形状と比較することにより、
前記パターンに従って前記カメラからの前記画像を評価するように構成されている、請求項１に記載のシステム。
【請求項８】
前記コンピュータは、
望ましくない材料を融除するべく、前記アブレーションレーザーに命令することにより、
前記画像に応答して前記命令を調節するように構成されている、請求項２に記載のシステム。
【請求項９】
前記コンピュータは、
必要とされる材料を印刷するように前記プリンタに命令することにより、
前記画像に応答して前記命令を調節するように構成されている、請求項１に記載のシステム。
【請求項１０】
前記材料は、生物学的な又は生体適合性を有する材料を有する、請求項１に記載のシステム。
【請求項１１】
前記ターゲットは、ステージ又はインプラント基材を有する、請求項１に記載のシステム。
【請求項１２】
眼用のインプラントを製造する方法であって、
前記眼のための屈折治療を提供するように設計されたインプラント用のパターンを保存するステップと、
前記パターンに従ってターゲット上に材料を印刷するべく、プリンタヘッドを運動させるように、プリンタコントローラに命令を送信するステップと、
前記材料の前記印刷を監視するべく、画像を生成するステップと、
前記パターンに従って前記画像を評価するステップと、
前記画像に応答して前記命令を調節するステップと、
を有する方法。
【請求項１３】
前記パターンに従って前記印刷された材料を融除するべく、アブレーションレーザーに命令を送信するステップを更に有する、請求項１２に記載の方法。
【請求項１４】
前記パターンに従って硬化光を導くべく、硬化イルミネータに命令を送信するステップを更に有する、請求項１２に記載の方法。
【請求項１５】
前記パターンに従って前記画像を評価するステップは、
前記画像内の前記印刷された材料の内部構造を識別するステップと、
前記識別された内部構造を前記パターンによって定義された内部構造と比較するステップと、
を有する、請求項１２に記載の方法。
【発明の詳細な説明】
【技術分野】
【０００１】
本開示は、一般に、眼の屈折治療に関し、且つ、更に詳しくは、眼用のインプラントの製造に関する。
【背景技術】
【０００２】
眼の屈折治療は、眼の屈折プロパティを変更することにより、屈折異常を低減して視力を改善するべく実行される技法を意味している。屈折異常は、眼の一部分が光を正しく折り曲げず、その結果、不鮮明な画像がもたらされる際に、発生する。屈折異常の主なタイプは、近視（近視眼）、遠視（遠視眼）、老眼（年齢に伴う近見視力の喪失）、及び乱視である。眼のインプラントは、屈折治療の１つのタイプにおいて使用されている。眼のインプラントは、屈折プロパティを変更して視力を改善するべく、眼内に埋植されている。
【発明の概要】
【課題を解決するための手段】
【０００３】
特定の実施形態においては、眼用のインプラントを製造するシステムは、プリンタと、カメラと、コンピュータと、を有する。プリンタは、材料をターゲット上に印刷し、且つ、プリンタヘッドと、プリンタコントローラと、を有する。プリンタヘッドは、材料をターゲット上に堆積させ、且つ、プリンタコントローラは、材料をターゲットの特定の場所上に堆積させるべく、プリンタヘッドを運動させている。カメラは、材料の印刷を監視するべく、画像を生成している。コンピュータは、眼の屈折治療を提供するように設計されたインプラント用のパターンを保存し、パターンに従って材料をターゲット上に印刷するべくプリンタヘッドを運動させるように、プリンタコントローラに命令を送信し、パターンに従ってカメラからの画像を評価し、且つ、画像に応答して命令を調節している。
【０００４】
特定の実施形態においては、眼用のインプラントを製造する方法は、眼の屈折治療を提供するように設計されたインプラント用のパターンを保存するステップを含む。命令は、パターンに従って材料をターゲット上に印刷するべくプリンタヘッドを運動させるように、プリンタコントローラに送信されている。材料の印刷を監視するべく、画像が生成されている。画像が、パターンに従って評価され、且つ、命令調節が、画像に応答して調節されている。
【０００５】
一例として、以下の添付の図を参照し、本開示の実施形態について更に詳細に説明する。
【図面の簡単な説明】
【０００６】
【図１】図１は、眼用のインプラントを製造するシステムの一例を示す。
【図２】図２は、図１のシステムによって実行されうる、眼用のインプラントを製造する方法の一例を示す。
【図３Ａ】図３Ａは、図１のシステムによって生成されうる異なる外部形状を有するインプラントの例を示す。
【図３Ｂ】図３Ｂは、図１のシステムによって生成されうる異なる外部形状を有するインプラントの例を示す。
【図４Ａ】図４Ａは、図１のシステムによって製造されうる異なる内部構造を有するインプラントの例を示す。
【図４Ｂ】図４Ｂは、図１のシステムによって製造されうる異なる内部構造を有するインプラントの例を示す。
【図４Ｃ】図４Ｃは、図１のシステムによって製造されうる異なる内部構造を有するインプラントの例を示す。
【発明を実施するための形態】
【０００７】
以下には、説明及び図面を参照することにより、開示されている装置、システム、及び方法の例示用の実施形態が詳細に示されている。当業者には明らかなように、開示されている実施形態は、例示を目的としており、且つ、すべての可能な実施形態を網羅するものではない。
【０００８】
図１は、眼用のインプラント１２を製造するシステム１０の一例を示している。システム１０は、ステージ１４などのターゲット上に生物学的な又は生体適合性を有する材料を印刷するプリンタ１６を含む。コンピュータ２２は、パターン２０に従って材料を印刷するべく、命令をプリンタ１６に送信している。パターン２０は、眼内に埋植された際に眼に対する屈折治療を提供するインプラント１２をもたらすように、設計されている。カメラ２６は、材料の印刷を監視するべく、画像を生成している。コンピュータ２２は、パターン２０に従って画像を評価し、且つ、画像に応答して命令を調節することができる。特定の実施形態においては、アブレーションレーザーにより印刷された材料を成形することができると共に、硬化イルミネータ２８により印刷された材料を硬化させることができる。
【０００９】
図示の実施形態においては、システム１０は、コンピュータ２２と、プリンタ１６と、ステージ１４と、アブレーションレーザー２４と、カメラ２６と、硬化イルミネータ２８と、を有する。コンピュータ２２は、１つ又は複数のプロセッサ３０と、パターン２０を保存する１つ又は複数のメモリ３２と、を含む。プリンタ１６は、プリンタヘッド３４と、プリンタコントローラ３６と、を含む。概要として、特定の実施形態においては、コンピュータ２２は、パターン２０に従ってインプラント１２を製造するように、システム１０のコンポーネントを制御している。ステージ１４は、印刷される材料のためのターゲットとして動作する、或いは、印刷される材料のためにターゲットを支持する、プラットフォームである。プリンタ１６は、材料をターゲット上に印刷している。アブレーションレーザー２４は、パターン２０に従って、印刷された材料を成形するように、印刷された材料を融除している。硬化イルミネータ２８は、材料の硬化を促進する光により、印刷された材料を照明している。カメラ２６は、インプラント１２の生成を監視するべく、画像を生成している。説明を支援するべく、本説明においては、印刷において使用される座標系を参照している。この座標系においては、印刷された材料が放出される方向はｚ軸を定義しており、且つ、ｘｙプレーンはｚ軸に対して垂直のプレーンである。
【００１０】
インプラント１２は、眼の屈折治療を提供するべく眼内に手術によって埋植される、眼のインプラント、即ち、人工補助具である。インプラント１２が眼内に埋植され、且つ、眼が埋植から回復した際に、インプラント１２は、眼の屈折プロパティを変更して視力を改善する。インプラント１２の例は、角膜インレー、角膜アンレー、眼内レンズ、又は角膜移植組織を含む。角膜移植組織のケースにおいては、システム１０は、上皮、Ｂｏｗｍａｎ、ストロマ、及び／又は内皮細胞のような、細胞層を含みうる、「ドナー」組織を生成している。ドナー組織は、全層角膜移植（即ち、浸透性角膜移植術）又は裏層角膜移植（即ち、内皮角膜移植術）のために生成することができる。
【００１１】
インプラント１２は、任意の適切なサイズ又は形状を有することができる。例えば、インプラント１２は、円形であるか、又は環状であってよく、０．５〜１２ミリメートル（ｍｍ）の範囲内の、或いは、０．５〜５ｍｍ、５ｍｍ〜８ｍｍ、又は８〜１２ｍｍなどのサブ範囲内の、直径を有する。特定の実施形態においては、インプラント１２は、透明な生体適合性を有する基材上において印刷された材料を有することができる。（このような印刷された材料の例については、後述する）。その他の実施形態においては、インプラント１２は、基材ではなく、印刷された材料を有することができる。インプラント１２の有効エリアは、例えば、その最大サイズにおいて瞳孔によって囲まれているエリアなどの、眼が観察しているエリアであってよい。
【００１２】
パターン２０は、インプラント２０の外部サイズ及び形状を記述しており、且つ、インプラント２０の内部構造を記述することもできる。内部構造は、印刷された材料が、インプラント２０の生成の際に堆積、硬化、及び／又は融除される方式の結果としてもたらされうる。特定の実施形態においては、パターン２０は、材料が、インプラント２０を形成しているそれぞれの層において堆積、硬化、及び／又は融除されるその方式を定義しうる。例えば、パターン２０は、材料が堆積されるべき場所、材料が硬化されるべきかどうか及びその方式、及び／又は材料が融除されるべきかどうか及びその方式を記述することにより、第１層が生成されるべき方式を定義することができる。パターン２０は、類似のタイプの説明を使用することにより、後続の層が生成されるべき方式を定義することができる。インプラント１２、内部構造、及びパターン２０の例は、図３Ａ〜図４Ｃにおいて示されている。
【００１３】
プリンタ１６は、デジタル命令に従ってターゲット上に材料を堆積させるように構成された任意の適切なプリンタであってよい。例えば、プリンタ１６は、特定の形状及びサイズにおいて構成された、印刷された材料をもたらすように、材料の連続的な層を堆積させる、３Ｄ（又は、付加製造）プリンタであってよい。プリンタ１６は、プリンタヘッド４４と、プリンタコントローラ４６と、を含む。プリンタヘッド４４は、材料をターゲット上に導き、且つ、材料を表面上に堆積させる、任意の適切なプリンタ押出機であってよい。プリンタコントローラ４６は、材料をターゲットの特定の場所上に導くように、ｘ、ｙ、ｚ方向においてプリンタヘッドを運動させ、且つ、パターン２０に従ってプリンタヘッド４４を運動させるべく、コンピュータ２２から命令を受け取ることができる。
【００１４】
プリンタ１６は、生物学的な且つ／又は生体適合性を有する任意の適切な透明又は半透明材料を有する材料を印刷している。このような材料の例は、培養されたコラーゲン物質、人間又は動物細胞物質、生体適合性を有するプラスチック、ヒアルロナン、組み換えヒトコラーゲンＩＩＩ（ＲＨＣＩＩＩ）、ゼラチンメタクリレート、及び絹を含む。特定のケースにおいては、上皮がその上部において成長しうる材料を使用することができる。このような材料は、角膜細胞及び細胞外物質の最適な栄養補給、寿命を通じた光学的な透明性、及び上皮成長用の支援表面プロパティを提供することができる。
【００１５】
プリンタ１６は、材料をターゲット上に印刷し、ターゲットは、ステージ１４であってもよく、或いは、ステージ１４によって支持されたインプラント基材であってもよい。特定の実施形態においては、インプラント基材は、モールド上に堆積される材料の表面を成形するモールドであってよい。モールドは、眼内へのインプラント１２の埋植の前に除去することができる。その他の実施形態においては、インプラント基材は、インプラント２０の一部分を形成することができると共に、インプラント２０の残りの部分と共に眼内に埋植されている。これらの実施形態においては、インプラント基材は、上述のように、生物学的な且つ／又は生体適合性を有する、透明又は半透明の材料を有することができる。
【００１６】
アブレーションレーザー２４は、パターン２０に従って材料を成形するように、印刷された材料を融除している。アブレーションレーザー２４は、印刷された材料を融除するレーザービームを生成及び放出する任意の適切なレーザー装置であってよい。アブレーションレーザー２４は、レーザービームを生成するレーザー供給源（例えば、エキシマ又はフェムト）と、レーザービームの焦点をターゲットの特定の地点まで導くスキャニングコンポーネント（例えば、オプティクス）と、を有することができる。特定の実施形態においては、レーザー２４は、異なるレーザービームを生成する、更なるレーザー供給源を内蔵していてもよく、例えば、レーザー２４は、印刷された材料を光分解又は架橋するビームと、印刷された材料を融除するビームと、を生成する供給源を有することができる。コンピュータ２２は、材料が融除されるべき場所を記述することにより、材料を成形するように、アブレーションレーザー２４に命令することができる。
【００１７】
硬化イルミネータ２８は、材料を硬化させるべく、印刷された材料に向かって硬化光を導いている。光は、材料の架橋を促進することにより、材料を硬化させることができる。硬化光の例は、紫外光又は（ＬＥＤ光などの）４００〜５００ｎｍの光を含む。コンピュータ２２は、材料が硬化されるべき時点、硬化時間、及び／又は硬化強度を通知することにより、材料を硬化させるように、硬化イルミネータ２８に命令することができる。
【００１８】
カメラ２６は、材料の印刷を監視するべく、印刷された材料の画像を生成している。カメラ２６は、物体の画像を生成しうる任意の適切なシステムを有することができる。画像を生成するべくＯＣＴスキャンを生成する、（時間ドメイン又は周波数ドメインＯＣＴシステムなどの）光コヒーレンストモグラフィ（ＯＣＴ：Ｏｐｔｉｃａｌ  Ｃｏｈｅｒｅｎｃｅ  Ｔｏｍｏｇｒａｐｈｙ）システムが、カメラ２６の一例である。その他の例は、Ｓｃｈｅｉｍｐｆｌｕｇシステム（光断面計測）又は立体カメラシステムを含む。
【００１９】
コンピュータ２２は、パターン２０に従ってインプラント１２を製造するようにコンポーネントに動作する方式を通知するべく、システム１０のコンポーネントに命令を送信している。例えば、コンピュータ２２は、パターン２０に従って材料を印刷するようにプリンタヘッド３４を運動させるべく、プリンタコントローラ３６に命令を送信している。また、特定の実施形態においては、コンピュータ２２は、パターン２０に従って印刷された材料を融除するように、命令をアブレーションレーザー２４に送信することができ、且つ／又はパターン２０に従って硬化光を導くように、命令を硬化イルミネータ２８に送信することができる。
【００２０】
これに加えて、コンピュータ２２はカメラ２６からの画像を評価し、且つ、画像に応答して命令を調節することができる。コンピュータ２２は、画像とパターン２０の間の差を判定するべく画像をパターン２０と比較することにより、パターン２０に従って画像を評価することができる。コンピュータ２２は、パターン２０によって定義されているインプラント１２の同一の特徴に対応する画像の特徴を識別するべく、画像を画像処理することができる。特徴は、例えば、外部形状又はサイズ又は内部構造であってよい。なんらかの差を検出するべく、対応する特徴が比較される。差が検出された場合には、差を低減するべく命令を調節することができる。例えば、画像が、材料が存在するべきではないことをパターン２０が通知している場所において材料を示している場合には、コンピュータ２２は、望ましくない材料を融除するように、アブレーションレーザー２４に命令を送信することができる。別の例として、材料が存在するべきであるとパターン２０が通知している場所において、画像が材料を示していない場合には、コンピュータ２２は、より多くの材料を堆積させるようにプリンタ１６に命令を送信することができる。
【００２１】
コンピュータ２２は、インプラント１２の生成の際に任意の適切な時点において評価及び調節を実行することができる。例えば、コンピュータ２２は、評価及び調節を継続的に実行してもよく、或いは、例えば、層の形成の後及び新しい層の形成の前などの、特定の時点において評価及び調節を実行してもよい。
【００２２】
図２は、図１のシステム１０によって実行されうる、眼用のインプラント１２を製造する方法の一例を示している。方法は、ステップ１００において始まり、ここで、コンピュータ２２は、眼のインプラント１２を製造するべく、パターン２０を評価する。コンピュータ２２は、パターン２０に従ってインプラント１２を製造するように、動作する方式についてコンポーネントに通知するべく、ステップ１０２において、システム１０のコンポーネントに命令を送信する。例えば、コンピュータ２２は、ステップ１０２ａにおいて、パターン２０に従って材料を印刷するようにプリンタ１６に命令を送信し、ステップ１０２ｂにおいて、パターン２０に従って印刷された材料に向かって硬化光を導くように、硬化イルミネータ２８に命令を送信し、且つ／又は、ステップ１０２ｃにおいて、パターン２０に従って、印刷された材料を融除するように、アブレーションレーザー２４に命令を送信する。
【００２３】
カメラ２６は、印刷された材料の画像を生成し、且つ、コンピュータ２２は、ステップ１０４において画像を評価する。コンピュータ２２は、画像の特徴（例えば、外部形状又はサイズ又は内部構造）とパターン２０によって定義されている対応する特徴の間の差を判定するべく、画像をパターン２０と比較することにより、パターン２０に従って画像を評価することができる。コンピュータ２２は、ステップ１０６において、印刷された材料が満足できるものであるかどうかを判定する。印刷された材料は、特徴の間に差が存在していない又は差が無視可能である場合にのみ、満足できるものとなりうる。無視可能な差とは、結果的に得られる視力における知覚可能な差を生成しない差でありうる。
【００２４】
ステップ１０６において、印刷された材料が満足できるものではない場合には、方法はステップ１０８に進み、ここでは、コンピュータ２２が、画像に応答して命令を調節する。命令は、撮像された特徴とパターン特徴の間の差を低減するように調節することができる。例えば、命令は、望ましくない材料を除去するべく、或いは、必要とされている材料を堆積させるべく、調節することができる。第１のケースにおいては、命令は、望ましくない材料を融除するように、アブレーションレーザー２４に命令することができる。第２のケースにおいては、命令は、必要とされている材料を印刷するように、プリンタ１６に命令することができる。
【００２５】
ステップ１０６において、印刷された材料が満足できるものである場合には、方法は、ステップ１１０に進み、ここではコンピュータ２２が、インプラント形成プロセスが終了したかどうかを判定する。プロセスが終了していない場合には、方法は、より多くの命令を送信するべく、ステップ１０２に戻る。プロセスが終了している場合には、方法は終了する。
【００２６】
図３Ａ及び図３Ｂは、図１のシステム１０によって製造されうる異なる外部形状を有するインプラント１２の例を示している。図３Ａのインプラント１２ａは、遠視の矯正のために使用することができると共に、図３Ｂのインプラント１２ｂは、近視の矯正のために使用することができる。図３Ａ（１）及び図３Ｂ（１）は、それぞれ、インプラント１２ａ及び１２ｂの平面図を示しており、且つ、図３Ａ（２）及び図３Ｂ（２）は、ラインＡ−Ａに沿った、それぞれ、インプラント１２ａ及び１２ｂの断面図を示している。
【００２７】
図４Ａ〜図４Ｃは、図１のシステム１０によって製造されうる、異なる内部構造を有するインプラント１２ｃ〜１２ｅの例を示している。インプラント１２ｃ〜１２ｅは、層５０を堆積させることにより製造され、これらの層５０は、インプラント１２ｃ〜１２ｅ用のパターンによって定義することができる。それぞれの図は、インプラント１２の有効エリア内の層５０の形成を示している。それぞれの図において、ステップ（１）は、ターゲット上に堆積された層５０ａを示しており（これは、ステージ１４又はインプラント基材であってよい）、ステップ（２）は、層５０ａ及び／又はターゲット上に堆積された層５０ｂを示しており、且つ、ステップ（３）は、層５０ｂ上に堆積された層５０ｃを示している。それぞれの層５０が堆積され（且つ、任意選択により硬化及び／又は融除され）るのに伴い、インプラント１２の屈折プロパティに影響を及ぼしうる内部構造を形成する。
【００２８】
図４Ａは、層５０を有するインプラント１２ｃを示しており、この場合に、それぞれの層５０は、実質的に同一の厚さを有する。層５０ａは、均一な曲がりを有しており、且つ、後続の層５０ｂ及び５０ｃも、類似の均一な曲がりを有している。ステップ（４ａ）及び（４ｂ）は、インプラント１２ｃが、異なるタイプの屈折矯正をもたらすべく、異なる方式によって融除されうる方式を示している。ステップ（４ａ）は、遠視の矯正のために図３Ａのインプラント１２ａのものに類似した外部形状をもたらすように融除された層５０を示している。ステップ（４ｂ）は、近視の矯正のために図３Ｂのインプラント１２ｂのものに類似した外部形状をもたらすように融除された層５０を示している。
【００２９】
図４Ｂ及び図４Ｃは、層５０を有するインプラント１２ｄ及び１２ｅを示しており、この場合に、層５０ａは、有効エリアにわたって同一の厚さを有してはおらず、従って、後続の層５０ｂ及び５０ｃも、層５０ａのものに類似した曲がりを有してはいない。図４Ｂにおいて、層５０ａは、インプラント１２ｄの、周辺ではなく、中央の、エリアにおいて、堆積されている。後続の層５０ｂ及び５０ｃが堆積されているが、これは、遠視の矯正のために図３Ａのインプラント１２ａのものに類似した外部形状を結果的にもたらしている。但し、インプラント１２ｄと図４Ａのステップ（４ａ）のインプラント１２ｃは、類似の外部形状を有しているにも拘らず、これらの内部構造は異なっている。
【００３０】
図４Ｃにおいては、層５０ａは、インプラント１２ｅの、中央のではなく周辺のエリア内において堆積されている。後続の層５０ｂ及び５０ｃが堆積され、この結果、近視の矯正のために図３Ｂのインプラント１２ｂのものに類似した外部形状がもたらされる。但し、インプラント１２ｅと図４Ａのステップ（４ｂ）のインプラント１２ｃは、類似の外部形状を有しているにも拘らず、内部構造は異なっている。
【００３１】
本明細書において開示されているシステム及び装置のコンポーネント（例えば、コンピュータ）は、インターフェイス、ロジック、及び／又はメモリを含んでいてもよく、これらのうちの任意のものは、ハードウェア及び／又はソフトウェアを含みうる。インターフェイスは、コンポーネントに対する入力を受け取ることが可能であり、コンポーネントからの出力を提供することが可能であり、且つ／又は、入力及び／又は出力を処理することができる。ロジックは、入力から出力を生成するべく、コンポーネントの動作を実行することが可能であり、例えば、命令を実行することができる。ロジックは、１つ又は複数のコンピュータ或いは１つ又は複数のマイクロプロセッサなどの、プロセッサであってよい。ロジックは、コンピュータプログラム又はソフトウェアなどの、コンピュータによって実行されうる、メモリ内においてエンコーディングされたコンピュータ実行可能命令であってよい。メモリは、情報を保存することが可能であり、且つ、１つ又は複数の有体の、一時的ではない、コンピュータ可読である、コンピュータ実行可能ストレージ媒体を有することができる。メモリの例は、コンピュータメモリ（例えば、ランダムアクセスメモリ（ＲＡＭ：Ｒａｎｄｏｍ  Ａｃｃｅｓｓ  Ｍｅｍｏｒｙ）又は読み出し専用メモリ（ＲＯＭ：Ｒｅａｄ  Ｏｎｌｙ  Ｍｅｍｏｒｙ））、マスストレージ媒体（例えば、ハードディスク）、着脱自在のストレージ媒体（例えば、コンパクトディスク（ＣＤ：Ｃｏｍｐａｃｔ  Ｄｉｓｋ）又はデジタルビデオディスク（ＤＶＤ：Ｄｉｇｉｔａｌ  Ｖｉｄｅｏ  Ｄｉｓｋ））、及びネットワークストレージ（例えば、サーバー又はデータベース）を含む。
【００３２】
本開示について特定の実施形態の観点において説明したが、当業者には実施形態の（置換、追加、変更、又は省略などの）変更が明らかとなろう。従って、本発明の範囲を逸脱することなしに、変更を実施形態に対して実施することができる。例えば、変更は、本明細書において開示されているシステム及び装置に対して実施することができる。システム及び装置のコンポーネントは統合又は分離されてもよく、システム及び装置の動作は、更に多くの数の、更に少ない数の、又はその他の、コンポーネントにより、実行されてもよい。別の例として、本明細書において開示されている方法に対して変更を実施することができる。方法は、更に多くの数の、更に少ない数の、又はその他の、ステップを含んでいてもよく、且つ、ステップは、任意の適切な順序において実行されてもよい。
【図１】
2021518200.tif 000003
【図２】
2021518200.tif 000004
【図３Ａ】
2021518200.tif 000005
【図３Ｂ】
2021518200.tif 000006
【図４Ａ】
2021518200.tif 000007
【図４Ｂ】
2021518200.tif 000008
【図４Ｃ】
2021518200.tif 000009
【国際調査報告】
2021518200.tif 000010
2021518200.tif 000011